(57)【要約】【課題】  印刷対象物の固有の情報と印刷される固有の記載情報の組み合わせに印刷処理時において入れ違えが発生しないようにする。【解決手段】  予め通帳類Ｔそれぞれに付与された固有情報が記録された通帳類Ｔを搬送する搬送ローラ２と、この搬送ローラ２によって搬送される通帳類Ｔの固有情報を読み取る無線ＩＣ Ｒ／Ｗ ５と、通帳類Ｔの固有記載情報を入力する操作パネル５５と、無線ＩＣ Ｒ／Ｗ ５によって読み取られた固有情報と操作パネル５５によって入力された固有記載情報とが対応するか否かを判別する判別部５８ｂと、この判別部５８ｂにより対応すると判別されるのに基づいて固有情報と固有記載情報に基づく印刷データを生成する生成部５８ａと、この生成部５８ａにより生成された印刷データに基づいて通帳類Ｔに印刷情報を印刷する中間転写印刷部８とを具備する。【選択図】      図１
2005246792.tif 000002
【特許請求の範囲】
【請求項１】
予め通帳類それぞれに付与された固有情報が記録された通帳類を搬送する搬送手段と、
この搬送手段によって搬送される通帳類の固有情報を読み取る読取手段と、
前記通帳類の固有記載情報を入力する入力手段と、
前記読取手段によって読み取られた固有情報と前記入力手段によって入力された固有記載情報とが対応するか否かを判別する判別手段と、
この判別手段により対応すると判別されたのに基づいて前記固有情報と固有記載情報に基づく印刷データを生成する生成手段と、
この生成手段により生成された印刷データに基づいて前記通帳類に印刷情報を印刷する印刷手段と
を具備することを特徴とする通帳類印刷装置。
【請求項２】
前記通帳類の固有情報は前記通帳類に内蔵された無線ＩＣに記録され、
前記読取手段は前記無線ＩＣに記録された固有情報を無線で読み取ることを特徴とする請求項１記載の通帳類印刷装置。
【請求項３】
前記通帳類の固有情報は前記通帳類に印刷された文字情報で、
前記読取手段は前記固有情報を光学的に読み取ることを特徴とする請求項１記載の通帳類印刷装置。
【請求項４】
予め通帳類それぞれに付与された固有情報が記録された通帳類を搬送する搬送工程と、
この搬送工程によって搬送される通帳類の固有情報を読み取る読取工程と、
前記通帳類の固有記載情報を入力する入力工程と、
前記読取工程によって読み取られた固有情報と前記入力工程によって入力された固有記載情報とが対応するか否かを判別する判別工程と、
この判別工程により対応すると判別されたのに基づいて前記固有情報と固有記載情報に基づく印刷データを生成する生成工程と、
この生成工程により生成された印刷データに基づいて前記通帳類に印刷情報を印刷する印刷工程と
を具備することを特徴とする通帳類印刷方法。
【発明の詳細な説明】
【技術分野】
【０００１】
本発明は、例えば、金融機関やＩＣカードとして用いられる通帳類の印刷装置及び印刷方法に関する。
【背景技術】
【０００２】
セキュリティ情報を含め固有の記載情報が印刷される通帳類やカード状の印刷対象物において、セキュリティ性や管理運用上などの面から、固有の記載情報が印刷される前の印刷対象物には製造工程の段階で印刷対象物そのものの固有情報が、例えば埋め込み型１Ｃチップなどによって事前に付与されることが考えられている。
【０００３】
この場合、セキュリティ情報を含め固有の記載情報を後から印刷する場面では、事前に付与された印刷対象物の固有情報との間で整合性を取って印刷が行われる。このように印刷対象物の固有情報と、後から印刷するセキュリティ情報の両方を同時に組み合わせて管理することで、未使用印刷対象物の盗難で偽造されたセキュリティ印刷物の発見に、加えて、変造や全ての偽造印刷物の発見や抑止にも効果がある（例えば、特許文献１参照）。
【特許文献１】特願２００１−２９０２５５号
【発明の開示】
【発明が解決しようとする課題】
【０００４】
ところで、印刷物固有の情報と印刷される固有の記載情報の組み合わせは、印刷処理時において入れ違えが発生しないよう厳密に管理することが必要である。
【０００５】
印刷対象物を印刷装置へ供給するために人間による操作を必要とした場合、もし操作する人間にミスがなければ、前述の印刷物固有の情報と印刷される固有の記載情報の組み合わせに不整合は生じない。
【０００６】
しかしながら、人間の操作が介在する以上、故意の如何を問わずミスを完全になくすることは現実として不可能である。フェイルセーフの機能を有しなかった場合、このミスは見逃されることとなる。
【０００７】
本発明は上記事情に着目してなされたもので、その目的とするところは、通帳類の固有情報と印刷される固有記載情報の組み合わせに印刷処理時において入れ違えが発生しないようにした通帳類の印刷装置及び印刷方法を提供することにある。
【課題を解決するための手段】
【０００８】
上記課題を解決するため、請求項１記載のものは、予め通帳類それぞれに付与された固有情報が記録された通帳類を搬送する搬送手段と、この搬送手段によって搬送される通帳類の固有情報を読み取る読取手段と、前記通帳類の固有記載情報を入力する入力手段と、前記読取手段によって読み取られた固有情報と前記入力手段によって入力された固有記載情報とが対応するか否かを判別する判別手段と、この判別手段により対応すると判別されるのに基づいて前記固有情報と固有記載情報に基づく印刷データを生成する生成手段と、この生成手段により生成された印刷データに基づいて前記通帳類に印刷情報を印刷する印刷手段とを具備する。
【０００９】
請求項４記載のものは、予め通帳類それぞれに付与された固有情報が記録された通帳類を搬送する搬送工程と、この搬送工程によって搬送される通帳類の固有情報を読み取る読取工程と、前記通帳類の固有記載情報を入力する入力工程と、前記読取工程によって読み取られた固有情報と前記入力工程によって入力された固有記載情報とが対応するか否かを判別する判別工程と、この判別工程により対応すると判別されるのに基づいて前記固有情報と固有記載情報に基づく印刷データを生成する生成工程と、この生成工程により生成された印刷データに基づいて前記通帳類に印刷情報を印刷する印刷工程とを具備する。
【発明の効果】
【００１０】
本発明は、読取手段によって読み取られた固有情報と、入力手段によって入力された記載情報とが対応するか否かを判別し、対応すると判別されるのに基づいて固有情報と記載情報を通帳類に印刷するため、通帳類を取り違えることがなく、オペレータの人為的なミスを確実に防止することができる。
【発明を実施するための最良の形態】
【００１１】
以下、本発明を図面に示す実施の形態を参照して詳細に説明する。  
図１は本発明の一実施の形態である通帳類印刷装置１を示す全体構成図である。
【００１２】
この通帳類印刷装置１は通帳類取込部４を備え、この通帳類取込部４には通帳類Ｔが開いた状態でセットされ、取り込まれるようになっている。この取込まれた通帳類Ｔは搬送手段としての複数個の搬送ローラ対２によって搬送路３に沿って搬送される。搬送路３中には通帳類Ｔの搬送方向に沿って読取手段としての無線ＩＣ Ｒ／Ｗユニット５、及び印刷装置としての中間転写印刷部８が配設されている。搬送路３の終端部側には搬送路３から排出される通帳類を集積させる排出部１０が設けられている。
【００１３】
図２は、上記した中間転写印刷部８を示すものである。
【００１４】
中間転写印刷部８は機能的に情報印刷部（以下、印刷部という）１６と、転写手段としてのオーバーコート転写部（以下、転写部という）１７とを有して構成されている。
【００１５】
印刷部１６としては熱溶融転写印刷方式のものが採用されている。即ち、印刷ヘッドとしてのサーマルヘッド１９とプラテンローラ２０に挟まれるように転写材としての溶融インクリボン２２と中間転写材としての中間転写フィルム２１が配置され、サーマルヘッド１９によって中間転写フィルム２１の表面に印刷情報等が印刷される。
【００１６】
この熱溶融転写方式の特徴としては、画像耐久性が高いこと、インク材料に機能性材料を適用することが比較的容易なこと（例えば蛍光顔料、アルミ蒸着薄膜）などがあり、偽造防止を目的とする印刷物に適している。
【００１７】
溶融インクリボン２２のベースフィルム厚やインク層厚は、印刷ドット再現性に極めて重要なパラメータであり、インクリボン層厚としては３〜２５μｍであり、望ましくは４〜１０μｍである。
【００１８】
一方、中間転写フィルム２１の後述するベースフィルムの厚さや、受像兼接着層厚は、接着性や膜切れ特性に影響を与えるパラメータであり、中間転写フィルム２１の層厚は、１０〜１００μｍであり、望ましくは２５〜５０μｍである。
【００１９】
プラテンローラ２０は硬質のゴム材料を表面に用いたローラで、ゴム硬度が上がるほどに微小ドットの再現性が向上するが、一方では最適なプラテンローラ２０とサーマルヘッド１９の位置関係を得ることが難しくなる。このため、硬度は７５°以上、望ましくは８５〜９７°である。また、研磨したゴム表面の表面粗さも、表面平滑性が上がるほどに微小ドットの再現性が向上する。このため、表面粗さは中心線平均粗さＲａで１μｍ以下、望ましくは０．５μｍ程度であることが要求される。
【００２０】
中間転写フィルム２１を搬送する駆動力は、一般的にプラテンローラ２０に駆動機構を設けることが多いが、上記の硬度と平滑性から中間転写フィルム２１とプラテンローラ２０の摩擦係数が上がらず、また安定しない。このため、プラテンローラ２０の下流（ヒートローラ側）直近に別途フィルム駆動ローラ２３を設ける。フィルム駆動ローラ２３は硬度３０〜６０度のローラを用い、中間転写フィルム２１はフィルム駆動ローラ２３に対して出来るだけ巻付き角が大きいほうが良い。実施例では９０°から１３０°の巻き付き角をえられるようにテンショナ２４を配置する。
【００２１】
テンショナ２４には図示しないバネ機構が設けられ、限られた可動範囲内で中間転写フィルム２１にテンションを与えて、フィルム駆動ローラ２３と中間転写フィルム２１が常に適切に接触する状態を作り出す。
【００２２】
フィルム駆動ローラ２３の駆動は５相ステッピングモータ、タイミングベルト、プーリによる減速機構の組み合わせにより、正確に搬送が行われる。また、サーマルヘッド１９はニアエッジ、またはコーナエッジタイプのヘッドを用い、熱時剥離による印刷を行うことが望ましい。
【００２３】
転写部１７は通帳類搬送路３を介して対向配置されるヒートローラ３５とバックアップローラ３６を備えている。ヒートローラ３５はＤＣサーボモータ若しくはステッピングモータにより正確に一定速度で駆動可能になっており、回転自在なバックアップローラ３６との間にはコイルバネ３７で発生された圧力が付与されるようになっている。
【００２４】
図３（ａ）〜（ｃ）は中間転写フィルム２１の構成を示す断面図である。
【００２５】
図３（ａ）に示す中間転写フィルム２１は、基材としてのＰＥＴ（ポリエチレンテレフタレート）フィルム２６の表面に、透明樹脂によるホログラム形成層と金属化合物の蒸着層による透明ホログラム層２８、受像層兼接着層としてのポリエステル系樹脂２９を積層したものである。
【００２６】
また、図３（ｂ）に示す中間転写フィルム２１は、基材としてのＰＥＴフィルム２６の表面に、剥離層としてのフェノキシ系樹脂２７、透明樹脂によるホログラム形成層と金属化合物の蒸着層による透明ホログラム層２８、受像層兼接着層としてのポリエステル系樹脂２９を積層したものである。
【００２７】
さらに、図３（ｃ）に示す中間転写フィルム２１は、基材としてのＰＥＴフィルム２６の表面に、剥離層としてのフェノキシ系樹脂２７、保護層３０、透明樹脂によるホログラム形成層と金属化合物の蒸着層による透明ホログラム層２８、受像層兼接着層としてのポリエステル系樹脂２９を積層したものである。
【００２８】
図４は上記した通帳類取込部４にセットされる通帳類Ｔを開いた状態で示すものである。
【００２９】
この通帳類Ｔの開かれた中紙Ｔａには通帳類固有情報を記録する無線ＩＣ４３が内蔵されている。
【００３０】
図５は上記した通帳類印刷装置１の駆動制御系を示すブロック図である。
【００３１】
図中５１はデータ入力制御部で、このデータ入力制御部５１に印刷装置１が接続されている。データ入力制御部５１には主制御部５２が設けられ、この主制御部５２には制御回路を介してメモリ５３、インターフエース部５４、操作パネル（入力手段）５５、及び画像入力部５６が接続されている。
【００３２】
印刷装置１には生成手段としての生成部５８ａ及び判別手段としての判別部５８ｂを有して構成される装置制御部５８が設けられ、この装置制御部５８には制御回路を介して中間転写画像処理部６８、ヒータ温度制御部６０、通帳類搬送制御部６１、画像形成制御部６２、無線ＩＣ読取書込部７３が配設されている。
【００３３】
上記した中間転写画像処理部６８にはサーマルヘッド１９の印字動作を制御するヘッド制御部６４が接続されている。ヒータ温度制御部６０には制御回路を介してヒートローラ３５のヒータ６５が接続されている。通帳類搬送制御部６１には制御回路を介して通帳類搬送機構２ａ、通帳類取込機構４ａが接続されている。
【００３４】
画像形成制御部６２には制御回路を介して転写リボン搬送機構３２ａ、サーマルヘッド１９を昇降させるヘッド昇降機構１９ａ、ヒートローラ３５を回転させる回転機構３５ａが接続されている。無線ＩＣ読取書込部７３には、無線ＩＣ Ｒ／Ｗユニット５が接続されている。
【００３５】
次に、上記したように構成される通帳類印刷装置１の動作について説明する。
【００３６】
まず、図１に示す通帳類取込部４から通帳類Ｔが取出されて搬送され（搬送工程）、無線ＩＣ Ｒ／Ｗユニット５によって通帳類Ｔの無線ＩＣ４３に記憶されている通帳固有情報が読み取られる（読取工程）。この読み取られた通帳固有情報は印刷装置制御部５８に送信される。
【００３７】
一方、印刷装置制御部５８には、データ入力制御部５１の画像入力部５６で取得された所持人の顔画像データ、操作パネル５５で入力された固有記載情報としての所持人のセキュリティ文字情報などが送られてくる。そして、この印刷装置制御部５８に送信された所持人のセキュリティ文字情報と通帳固有情報とが対応するか否かが判別部５８ｂで判別され（判別工程）、対応すると判別された場合には、通帳固有情報、所持人の顔画像データ、所持人のセキュリティ文字情報に基づいて生成部５８ａで印刷データが生成される（生成工程）。判別部５８ｂで対応しない判別された場合には、エラー扱いとされて処理が中断される。
【００３８】
生成工程で印刷データが生成されたのちは、印刷データに基づいてサーマルヘッド１９が動作されて中間転写フィルム２１に印刷情報が印刷される。
【００３９】
即ち、印刷時には、サーマルヘッド１９により、Ｙ（イエロー），Ｍ（マゼンタ），Ｃ（シアン）の三原色のインクに加えて黒インクの４色が重ね合されて所持人の顔画像が中間転写フィルム２１の表面にカラー印刷される。これら複数色の重ね合わせ印刷は、中間転写フィルム２１がサーマルヘッド１９を色数と同じ回数往復することで行われる。この所持人の顔画像のカラー印刷後、サーマルヘッド１９により通帳類固有情報が付与されたセキュリティ情報が中間転写フィルム２１の表面に印刷される。
【００４０】
このように顔画像及びセキュリティ情報が印刷された中間転写フィルム２１は順方向（ヒートローラ３５の方向）に巻き取られ、図６（ａ）に示すように経路途中の転写部マーク検知センサ３９によって中間転写フィルム２１の位置が把握される。この把握結果に基づいて転写開始位置まで中間転写フィルム２１が送られる。
【００４１】
また、このとき通帳類Ｔは、転写されるページが開かれた状態で図６（ｂ）に示すように取り込まれて、ヒートローラ３５に対して決められた位置に搬送される。転写されるページは、表紙見返しページでも、他の中紙ページでもかまわない。
【００４２】
このように互いに位置決めされた中間転写フィルム２１と通帳類Ｔの該当ベージは、図６（ｃ）に示すように円周の一部が切り欠かれた形状の金属製ヒートローラ３５の回転と共に重ね合わされ、搬送と共に加圧加熱される。
【００４３】
その後、図７に示すように通帳類Ｔに対して６０°〜１１０°の角度をもって転写フィルムベース２６が引き上げられて、顔画像、セキュリティ情報４６と受像兼接着層２９、ホログラム層２８の転写が完了し、図８に示すように通帳固有情報４２ａを含むセキュリティ情報４６及び所持人の顔画像４４が転写される（転写工程）。転写が完了した通帳類Ｔは、図６（ｄ）に示すようにページが開かれた状態のまま通帳排出部１０に排出される。
【００４４】
上記したように、この実施の形態によれば、無線ＩＣ Ｒ／Ｗユニット５によって読み取られた通帳固有情報と、操作パネル５５から入力された所持人のセキュリティ文字情報とが対応する場合にのみ、印刷を開始するため、通帳類を取り違えることなく、所定の印刷データを印刷することができる。
【００４５】
従がって、通帳類を無駄に破棄することがないとともに、インクリボン及び中間転写フィルムの無駄使いをも防止することができる。
【００４６】
なお、上記した実施の形態では、無線ＩＣ４３に記録された通帳固有情報を無線ＩＣ Ｒ／Ｗユニット５によって読み取るようにしたが、これに限られることなく、図９に示すように、通帳類Ｔの中紙Ｔａに通帳固有情報（文字情報）４２を記録し、この通帳固有情報（文字情報）４２を光学式の読取装置によって読み取るようにしても良い。
【００４７】
その他、本発明は、その要旨の範囲内で種々変形実施可能なことは勿論である。
【図面の簡単な説明】
【００４８】
【図１】本発明の一実施の形態である通帳類印刷装置を概略的に示す構成図。
【図２】同通帳類印刷装置に備えられる転写印刷部を示す構成図。
【図３】同転写印刷部で用いられる転写フィルムを示すもので、（ａ）はその第１の例、（ｂ）はその第２の例、（ｃ）はその第３の例を示す構成図。
【図４】同通帳類印刷装置で用いられる通帳類を開いた状態で示す平面図。
【図５】同通帳類印刷装置の制御部を示す制御ブロック図。
【図６】同転写印刷部の転写動作を示す図。
【図７】同転写印刷部の転写動作の一部を拡大して示す図。
【図８】同通帳類印刷装置で印刷された通帳類を示す平面図。
【図９】本発明の他の例である通帳類を示す平面図。
【符号の説明】
【００４９】
Ｔ…通帳類、２…搬送ローラ（搬送手段）、５…無線ＩＣＲ／Ｗ（読取手段）、８…中間転写印刷部（印刷手段）、４２…文字情報（固有記載情報）、４２ａ…固有情報（印刷情報）、４３…無線ＩＣ、５５…操作パネル（入力手段）、５８ｂ…判別部（判別手段）、５８ａ…生成部（生成手段）。
【図１】
2005246792.tif 000003
【図２】
2005246792.tif 000004
【図３】
2005246792.tif 000005
【図４】
2005246792.tif 000006
【図５】
2005246792.tif 000007
【図６】
2005246792.tif 000008
【図７】
2005246792.tif 000009
【図８】
2005246792.tif 000010
【図９】
2005246792.tif 000011